(57)【要約】【課題】  シート状のスイッチにおいて、他の電気機器に接続するための各端子部が、上記他の電気機器に接続されているか否かを容易に判断し、複数の接点を設けても、上記接点や抵抗や端子部を電気的につなぐ経路の形態が煩雑になることを極力防止する。【解決手段】  フィルム状基材３と板状のスペーサ５とフィルム状部材７とを具備し、フィルム状基材３の一部、フィルム状部材７の一部のうちの少なくとも一方が撓み、この撓んだ部分に設けられている各接点同士が互いに導通することにより、端子部９と端子部１１とが互いに導通してオンする構成のスイッチ１において、端子部９と各接点のうちの一部の接点とを互いに導通する経路１７中で端子部９側に一端部が接続され、端子部１１と各接点のうちの他の一部の接点とを互いに導通する経路２１中で端子部１１側に他端部が接続された電気抵抗１９が設けられている。【選択図】図１
2006156033.tif 000002
【特許請求の範囲】
【請求項１】
フィルム状のスペーサを間にして、このスペーサの一方の面にフィルム状基材を配置し、前記スペーサの他方の面にフィルム状部材を配置して構成されていると共に、第１の接点部とこの第１の接点部から離れた第２の接点部とが前記フィルム状基材の前記フィルム状部材側の面に設けられ、前記第１の接点部と対向した第３の接点部と前記第２の接点部と対向した第４の接点部とが前記フィルム状部材の前記フィルム状基材側の面に設けられているフィルム状のスイッチ装置において、
前記フィルム状基材に設けられた第１の端子部と；
前記フィルム状基材に設けられ、前記第１の接点部と前記第１の端子部とを互いに導通している第１の導通経路と；
前記フィルム状基材に前記第１の端子部から離れて設けられた第２の端子部と；
前記フィルム状基材に前記第１の導通経路から離れて設けられ、前記第２の接点部と前記第２の端子部とを互いに導通している第２の導通経路と；
前記第１の端子部または前記第１の端子部の近傍における前記第１の導通経路に一端部が接続され、前記第２の端子部または前記第２の端子部の近傍における前記第２の導通経路に他端部が接続された電気抵抗と；
を有し、前記第３の接点部と前記第４の接点部とが、直接電気的に導通し、または、前記フィルム状基材および／または前記フィルム状部材に設けられた他の接点を介して互いに電気的に導通するように構成されており、常態においては、前記第１の端子部と前記第２の端子部とは前記電気抵抗を介して導通した状態にあり、前記フィルム状基材、前記フィルム状部材の少なくとも一方が撓んで、前記第１の接点部と前記第３の接点部とが互いに接触し、前記第２の接点部と前記第４の接点部とが互いに接触し、かつ、前記第３の接点部と前記第４の接点部とが互いに導通しているときに、前記電気抵抗と並列な接続路が前記第１の端子部と前記第２の端子部との間に構成されることを特徴とするスイッチ装置。
【請求項２】
請求項１に記載のスイッチ装置において、
前記第１の導通経路が、前記第１の端子部から前記第１の導通経路の先端部に向かう途中で複数に枝分かれしていると共に、前記第１の接点部が、複数に枝分かれしている前記第１の導通経路の各先端部側に複数設けられており、
前記第２の導通経路が、前記第２の端子部から前記第２の導通経路の先端部に向かう途中で複数に枝分かれしていると共に、前記第２の接点部が、複数に枝分かれしている前記第２の導通経路の各先端部側に複数設けられており、
前記第１の各接点部に対応して、前記第３の接点部が複数設けられており、
前記第２の各接点部に対応して、前記第４の接点部が複数設けられており、
前記第３の各接点部のうちの一部の接点部と前記第４の各接点部のうちの一部の接点部とが、前記フィルム状部材の前記フィルム状基材側の面に設けられた第３の導通経路によって互いに導通しており、
前記第３の各接点部のうちの他の一部の接点部と前記第４の各接点部のうちの他の一部の接点部とが、前記フィルム状部材の前記フィルム状基材側の面に設けられ前記第３の導通経路とは導通していない第４の導通経路によって互いに導通しており、
前記第３の導通経路に接続されている第３の接点部がこの第３の接点部に対向している第１の接点部に接触しかつ前記第３の導通経路に接続されている第４の接点部がこの第４の接点部に対向している第２の接点部に接触したときに前記第１の端子部と前記第２の端子部との間に前記電気抵抗と並列な接続路が構成され、または、前記第４の導通経路に接続されている第３の接点部がこの第３の接点部に対向している第１の接点部に接触しかつ前記第４の導通経路に接続されている第４の接点部がこの第４の接点部に対向している第２の接点部に接触したときに前記第１の端子部と前記第２の端子部との間に前記電気抵抗と並列な接続路が構成されることを特徴とするスイッチ装置。
【請求項３】
請求項１に記載のスイッチ装置において、
前記第１の導通経路が、前記第１の端子部から前記第１の導通経路の先端部に向かう途中で複数に枝分かれしていると共に、前記第１の接点部が、複数に枝分かれしている前記第１の導通経路の各先端部側に複数設けられており、
前記第２の導通経路が、前記第２の端子部から前記第２の導通経路の先端部に向かう途中で複数に枝分かれしていると共に、前記第２の接点部が、複数に枝分かれしている前記第２の導通経路の各先端部側に複数設けられており、
前記第１の各接点部に対応して、前記第３の接点部が複数設けられており、
前記第２の各接点部に対応して、前記第４の接点部が複数設けられており、
総ての前記第３の各接点部と、総ての前記第４の各接点部とが、前記フィルム状部材の前記フィルム状基材側の面に設けられた第５の導通経路によって互いに導通していることを特徴とするスイッチ装置。
【請求項４】
フィルム状のスペーサを間にして、このスペーサの一方の面にフィルム状基材を配置し、前記スペーサの他方の面にフィルム状部材を配置して構成されていると共に、第１の接点部とこの第１の接点部から僅かに離れている第２の接点部とが前記フィルム状基材の前記フィルム状部材側の面に設けられ、前記第１の接点部および前記第２の接点部と対向するように、第３の接点部が前記フィルム状部材の前記フィルム状基材側の面に設けられているフィルム状のスイッチ装置において、
前記フィルム状基材に設けられた第１の端子部と；
前記フィルム状基材に設けられ、前記第１の接点部と前記第１の端子部とを互いに導通している第１の導通経路と；
前記フィルム状基材に前記第１の端子部から離れて設けられた第２の端子部と；
前記フィルム状基材に前記第１の導通経路から離れて設けられ、前記第２の接点部と前記第２の端子部とを互いに導通している第２の導通経路と；
前記第１の端子部または前記第１の端子部の近傍における前記第１の導通経路に一端部が接続され、前記第２の端子部または前記第２の端子部の近傍における前記第２の導通経路に他端部が接続された電気抵抗と；
を有し、常態においては、前記第１の端子部と前記第２の端子部とは前記電気抵抗を介して導通した状態にあり、前記フィルム状基材、前記フィルム状部材の少なくとも一方が撓んで、前記第１の接点部と記第２の接点部とが前記第３の接点部を介して互いに導通したときに、前記電気抵抗と並列な接続路が前記第１の端子部と前記第２の端子部との間に構成されることを特徴とするスイッチ装置。
【請求項５】
フィルム状のスペーサを間にして、このスペーサの一方の面にフィルム状基材を配置し、前記スペーサの他方の面にフィルム状部材を配置して構成されているフィルム状のスイッチ装置において、
前記フィルム状基材の前記フィルム状部材側の面に設けられた第１の接点部と；
前記フィルム状基材の前記フィルム状部材側の面に前記第１の接点部から僅かに離れて設けられた第２の接点部と；
前記フィルム状基材の前記フィルム状部材側の面に前記第１の接点部から大きく離れて設けられた第３の接点部と；
前記フィルム状基材の前記フィルム状部材側の面に前記第３の接点部から僅かに離れて設けられた第４の接点部と；
前記フィルム状基材に設けられた第１の端子部と；
前記フィルム状基材に設けられ、前記第１の接点部と前記第１の端子部とを互いに導通している第１の導通経路と；
前記フィルム状基材に前記第１の端子部から離れて設けられた第２の端子部と；
前記フィルム状基材に前記第１の導通経路から離れて設けられ、前記第３の接点部と前記第２の端子部とを互いに導通している第２の導通経路と；
前記フィルム状基材に前記第１の導通経路および前記第２の導通経路から離れて設けられ、前記第２の接点部と前記第４の接点部とを互いに導通している第３の導通経路と；
前記フィルム状部材の前記フィルム状基材側の面に前記第１の接点部および前記第２の接点部と対向するように設けられた第５の接点部と；
前記フィルム状部材の前記フィルム状基材側の面に前記第３の接点部および前記第４の接点部と対向するように設けられた第６の接点部と；
前記第１の端子部または前記第１の端子部の近傍における前記第１の導通経路に一端部が接続され、前記第２の端子部または前記第２の端子部の近傍における前記第２の導通経路に他端部が接続された電気抵抗と；
を有し、常態においては、前記第１の端子部と前記第２の端子部とは前記電気抵抗を介して導通した状態にあり、前記フィルム状基材、前記フィルム状部材の少なくとも一方が撓んで、前記第１の接点部と前記第２の接点部とが前記第５の接点部を介して互いに導通し、かつ、前記第３の接点部と前記第４の接点部とが前記第６の接点部を介して互いに導通したときに、前記電気抵抗と並列な接続路が前記第１の端子部と前記第２の端子部との間に構成されることを特徴とするスイッチ装置。
【請求項６】
フィルム基材上に設けられた電極とフィルム部材上に設けられた電極とがスペーサを介して配され、前記各電極が互いに導通することにより第１の端子部と第２の端子部とが互いに導通するスイッチ装置において、前記第１の端子部および前記第２の端子部の近傍に前記各端子部を互いにつなぐ電気抵抗が設けられていることを特徴とするスイッチ装置。
【発明の詳細な説明】
【技術分野】
【０００１】
本発明は、主として着座検出に使用するスイッチ装置に係り、特に、接点部を備えたフィルム状の基材と、前記接点部に対応した位置に貫通孔を備えたフィルム状のスペーサと、前記接点部に対向し前記接点部に接触可能な別の接点部を備えたフィルム状の部材とを順に重ね合わせて構成されているシート状のスイッチ装置に関する。さらに詳細には、スイッチ装置が電気機器に接続されているか否かを判断することができるものに関する。
【背景技術】
【０００２】
従来、接点部を備えたフィルム状の基材と、前記接点部に対応した位置に貫通孔を備えたフィルム状のスペーサと、前記接点部に対向し前記接点部に接触可能な別の接点部を備えたフィルム状の部材とを順に重ね合わせて構成されているシート状のスイッチ装置が知られている（たとえば特許文献１参照）。
【０００３】
前記従来の着座センサについて、図を用い説明する。
【０００４】
従来のスイッチ装置（着座センサ）１００は、たとえば、人が着座可能なシートの表皮の裏側に配して使用され、シートに着座した人の体重により動作し、シートへ人が着座しているか否かを検出する着座検出装置として使用されるものである。
【０００５】
図１２は、従来のスイッチ装置１００の概略構成を示す図であり、図１３は、図１２のＸＩＩＩＡ−ＸＩＩＩＢ断面を示す図である。図１４は、前記スイッチ装置１００を構成するフィルム状基材（フィルム）１０２の概略構成を示す図であり、図１５は、前記スイッチ装置１００を構成するスペーサ１０４の概略構成を示す図である。図１６は、前記スイッチ装置１００を構成するフィルム状部材（フィルム）１０６の概略構成を示す図である。
【０００６】
従来のスイッチ装置１００は、図１２や図１３で示すように、絶縁体よりなるスペーサ１０４（図１５参照）を間にして、このスペーサ１０４の一方の面にフィルム状基材１０２（図１３、図１４参照）を配置し、前記スペーサ１０４の他方の面にフィルム状部材１０６（図１３、図１６参照）を配置して構成されている。
【０００７】
前記フィルム状基材１０２のフィルム状部材１０６側の面（内側の面）には、図１４に示すように、互いが離れている複数の一方の電極（接点部）１０８が設けられており、また、前記各一方の電極１０８のそれぞれから僅かに離れて、互いが離れている複数の他方の電極（接点部）１１０が設けられている。
【０００８】
前記各一方の接点部１０８は、前記内側の面に配線された一方の導線（導通経路）１１２を介して、前記スイッチ装置１００を他の電気機器に接続するための一方の端子部１１４に電気的に接続されている。同様に、前記各他方の接点部１１０も、他方の導線（導通経路）１１６を介して、他方の端子部１１８に電気的に接続されている。
【０００９】
また、図１３や図１６で示すように、フィルム状部材１０６のフィルム状基材１０２側の面（内側の面）であって、前記対をなす各接点部１０８、１１０が互いに近接して設けられている位置に対応する部位には、第３の電極（接点部）１２０が設けられている。
【００１０】
そして、前記フィルム状基材１０２と前記フィルム状部材１０６との間に介在した前記スペーサ１０４の、前記対をなす各接点部１０８、１１０と前記第３の接点部１２０とが設けられている位置に対応する部位には、貫通孔１２２が設けられている。
【００１１】
したがって、図１３に示すように、前記フィルム状基材１０２と前記フィルム状部材１０６との間に、前記スペーサ１０４が配置されていることにより、前記対をなす各接点部１０８、１１０と前記第３の接点部１２０とは常時離間対向するようになっている。
【００１２】
そして、乗員（人）の着座時に前記フィルム状基材１０２、前記フィルム状部材１０６が撓んで、前記対をなす各接点部１０８、１１０と前記第３の接点部１２０とが互いに接触すると、前記対をなす各接点部１０８、１１０は、前記第３の接点部１２０を介して互いに接触電気的に導通する。
【発明の開示】
【発明が解決しようとする課題】
【００１３】
ところで、前記従来のスイッチ装置１００では、コネクタに前記スイッチ装置１００が装着されているか否かのチェックは、実際にスイッチ装置１００に荷重をかけ、スイッチ装置が正常か異常かを判断することにより行われる。
【００１４】
しかし、このような方法では、購入者は、事前に動作確認（たとえば、助手席、後部座席の動作確認）を行うことができず、使用する段階で初めて異常に気づくことになり、異常を知らないまま乗車してしまうおそれがある。
【００１５】
スイッチ装置１００がコネクタからはずれた状態で人が着座すると、着座しているにもかかわらず、信号が伝わらない結果、センサのシステムが正常に動作せず、アラームが点灯したままになる等、運転者に不快感を与えるおそれがあるという問題がある。
【課題を解決するための手段】
【００１６】
請求項１に記載の発明は、フィルム状のスペーサを間にして、このスペーサの一方の面にフィルム状基材を配置し、前記スペーサの他方の面にフィルム状部材を配置して構成されていると共に、第１の接点部とこの第１の接点部から離れた第２の接点部とが前記フィルム状基材の前記フィルム状部材側の面に設けられ、前記第１の接点部と対向した第３の接点部と前記第２の接点部と対向した第４の接点部とが前記フィルム状部材の前記フィルム状基材側の面に設けられているフィルム状のスイッチ装置において、前記フィルム状基材に設けられた第１の端子部と、前記フィルム状基材に設けられ、前記第１の接点部と前記第１の端子部とを互いに導通している第１の導通経路と、前記フィルム状基材に前記第１の端子部から離れて設けられた第２の端子部と、前記フィルム状基材に前記第１の導通経路から離れて設けられ、前記第２の接点部と前記第２の端子部とを互いに導通している第２の導通経路と、前記第１の端子部または前記第１の端子部の近傍における前記第１の導通経路に一端部が接続され、前記第２の端子部または前記第２の端子部の近傍における前記第２の導通経路に他端部が接続された電気抵抗とを有し、前記第３の接点部と前記第４の接点部とが、直接電気的に導通し、または、前記フィルム状基材および／または前記フィルム状部材に設けられら他の接点を介して互いに電気的に導通するように構成されており、常態においては、前記第１の端子部と前記第２の端子部とは前記電気抵抗を介して導通した状態にあり、前記フィルム状基材、前記フィルム状部材の少なくとも一方が撓んで、前記第１の接点部と前記第３の接点部とが互いに接触し、前記第２の接点部と前記第４の接点部とが互いに接触し、かつ、前記第３の接点部と前記第４の接点部とが互いに導通しているときに、前記電気抵抗と並列な接続路が前記第１の端子部と前記第２の端子部との間に構成されるスイッチ装置である。
【００１７】
請求項２に記載の発明は、請求項１に記載のスイッチ装置において、前記第１の導通経路が、前記第１の端子部から前記第１の導通経路の先端部に向かう途中で複数に枝分かれしていると共に、前記第１の接点部が、複数に枝分かれしている前記第１の導通経路の各先端部側に複数設けられており、前記第２の導通経路が、前記第２の端子部から前記第２の導通経路の先端部に向かう途中で複数に枝分かれしていると共に、前記第２の接点部が、複数に枝分かれしている前記第２の導通経路の各先端部側に複数設けられており、前記第１の各接点部に対応して、前記第３の接点部が複数設けられており、前記第２の各接点部に対応して、前記第４の接点部が複数設けられており、前記第３の各接点部のうちの一部の接点部と前記第４の各接点部のうちの一部の接点部とが、前記フィルム状部材の前記フィルム状基材側の面に設けられた第３の導通経路によって互いに導通しており、前記第３の各接点部のうちの他の一部の接点部と前記第４の各接点部のうちの他の一部の接点部とが、前記フィルム状部材の前記フィルム状基材側の面に設けられ前記第３の導通経路とは導通していない第４の導通経路によって互いに導通しており、前記第３の導通経路に接続されている第３の接点部がこの第３の接点部に対向している第１の接点部に接触しかつ前記第３の導通経路に接続されている第４の接点部がこの第４の接点部に対向している第２の接点部に接触したときに前記第１の端子部と前記第２の端子部との間に前記電気抵抗と並列な接続路が構成され、または、前記第４の導通経路に接続されている第３の接点部がこの第３の接点部に対向している第１の接点部に接触しかつ前記第４の導通経路に接続されている第４の接点部がこの第４の接点部に対向している第２の接点部に接触したときに前記第１の端子部と前記第２の端子部との間に前記電気抵抗と並列な接続路が構成されるスイッチ装置である。
【００１８】
請求項３に記載の発明は、請求項１に記載のスイッチ装置において、前記第１の導通経路が、前記第１の端子部から前記第１の導通経路の先端部に向かう途中で複数に枝分かれしていると共に、前記第１の接点部が、複数に枝分かれしている前記第１の導通経路の各先端部側に複数設けられており、前記第２の導通経路が、前記第２の端子部から前記第２の導通経路の先端部に向かう途中で複数に枝分かれしていると共に、前記第２の接点部が、複数に枝分かれしている前記第２の導通経路の各先端部側に複数設けられており、前記第１の各接点部に対応して、前記第３の接点部が複数設けられており、前記第２の各接点部に対応して、前記第４の接点部が複数設けられており、総ての前記第３の各接点部と、総ての前記第４の各接点部とが、前記フィルム状部材の前記フィルム状基材側の面に設けられた第５の導通経路によって互いに導通しているスイッチ装置である。
【００１９】
請求項４に記載の発明は、フィルム状のスペーサを間にして、このスペーサの一方の面にフィルム状基材を配置し、前記スペーサの他方の面にフィルム状部材を配置して構成されていると共に、第１の接点部とこの第１の接点部から僅かに離れている第２の接点部とが前記フィルム状基材の前記フィルム状部材側の面に設けられ、前記第１の接点部および前記第２の接点部と対向するように、第３の接点部が前記フィルム状部材の前記フィルム状基材側の面に設けられているフィルム状のスイッチ装置において、前記フィルム状基材に設けられた第１の端子部と、前記フィルム状基材に設けられ、前記第１の接点部と前記第１の端子部とを互いに導通している第１の導通経路と、前記フィルム状基材に前記第１の端子部から離れて設けられた第２の端子部と、前記フィルム状基材に前記第１の導通経路から離れて設けられ、前記第２の接点部と前記第２の端子部とを互いに導通している第２の導通経路と、前記第１の端子部または前記第１の端子部の近傍における前記第１の導通経路に一端部が接続され、前記第２の端子部または前記第２の端子部の近傍における前記第２の導通経路に他端部が接続された電気抵抗とを有し、常態においては、前記第１の端子部と前記第２の端子部とは前記電気抵抗を介して導通した状態にあり、前記フィルム状基材、前記フィルム状部材の少なくとも一方が撓んで、前記第１の接点部と記第２の接点部とが前記第３の接点部を介して互いに導通したときに、前記電気抵抗と並列な接続路が前記第１の端子部と前記第２の端子部との間に構成されるスイッチ装置である。
【００２０】
請求項５に記載の発明は、フィルム状のスペーサを間にして、このスペーサの一方の面にフィルム状基材を配置し、前記スペーサの他方の面にフィルム状部材を配置して構成されているフィルム状のスイッチ装置において、前記フィルム状基材の前記フィルム状部材側の面に設けられた第１の接点部と、前記フィルム状基材の前記フィルム状部材側の面に前記第１の接点部から僅かに離れて設けられた第２の接点部と、前記フィルム状基材の前記フィルム状部材側の面に前記第１の接点部から大きく離れて設けられた第３の接点部と、前記フィルム状基材の前記フィルム状部材側の面に前記第３の接点部から僅かに離れて設けられた第４の接点部と、前記フィルム状基材に設けられた第１の端子部と、前記フィルム状基材に設けられ、前記第１の接点部と前記第１の端子部とを互いに導通している第１の導通経路と、前記フィルム状基材に前記第１の端子部から離れて設けられた第２の端子部と、前記フィルム状基材に前記第１の導通経路から離れて設けられ、前記第３の接点部と前記第２の端子部とを互いに導通している第２の導通経路と、前記フィルム状基材に前記第１の導通経路および前記第２の導通経路から離れて設けられ、前記第２の接点部と前記第４の接点部とを互いに導通している第３の導通経路と、前記フィルム状部材の前記フィルム状基材側の面に前記第１の接点部および前記第２の接点部と対向するように設けられた第５の接点部と、前記フィルム状部材の前記フィルム状基材側の面に前記第３の接点部および前記第４の接点部と対向するように設けられた第６の接点部と、前記第１の端子部または前記第１の端子部の近傍における前記第１の導通経路に一端部が接続され、前記第２の端子部または前記第２の端子部の近傍における前記第２の導通経路に他端部が接続された電気抵抗とを有し、常態においては、前記第１の端子部と前記第２の端子部とは前記電気抵抗を介して導通した状態にあり、前記フィルム状基材、前記フィルム状部材の少なくとも一方が撓んで、前記第１の接点部と前記第２の接点部とが前記第５の接点部を介して互いに導通し、かつ、前記第３の接点部と前記第４の接点部とが前記第６の接点部を介して互いに導通したときに、前記電気抵抗と並列な接続路が前記第１の端子部と前記第２の端子部との間に構成されるスイッチ装置である。
【００２１】
請求項６に記載の発明は、フィルム基材上に設けられた電極とフィルム部材上に設けられた電極とがスペーサを介して配され、前記各電極が互いに導通することにより第１の端子部と第２の端子部とが互いに導通するスイッチ装置において、前記第１の端子部および前記第２の端子部の近傍に前記各端子部を互いにつなぐ電気抵抗が設けられているスイッチ装置である。
【発明の効果】
【００２２】
本発明によれば、他の電気機器と接続される端子部を有するシート状のスイッチ装置において、他の電気機器に接続するための前記端子部が、前記他の電気機器に接続されているか否かを容易に判断することができるという効果を奏する。
【発明を実施するための最良の形態】
【００２３】
［第１の実施形態］
図1は、本発明の第１の実施形態に係るスイッチ装置１の概略構成を示す図であり、図２は、図１におけるＩＩＡ―ＩＩＢ断面を示す図である。図３は、前記スイッチ装置１を構成するフィルム状基材３の概略構成を示す図であり、図４は、前記スイッチ装置１を構成するスペーサ５の概略構成を示す図である。図５は、前記スイッチ装置１を構成するフィルム状部材７の概略構成を示す図である。
【００２４】
スイッチ装置１は、たとえば、自動車の座席シートの内部に設置され、搭乗者（人）が着座したか否かの検出に使用されるものである。
【００２５】
また、前記スイッチ装置１は図１や図２で示すように、可撓性を備えた絶縁体で構成されたフィルム状のスペーサ（図４参照）５を間にして、このスペーサ５の一方の面に可撓性を備えた絶縁体で構成されたフィルム状の基材（図３参照）３を配置し、前記スペーサ５の他方の面に可撓性を備えた絶縁体で構成されたフィルム状の部材（図５参照）７を配置して三重構造に構成され、全体としてシート状（フィルム状）に構成されている。
【００２６】
スイッチ装置１の前記フィルム状基材３の前記フィルム状部材７側の面（内側の面）には、図３に示すように、第１の端子部９と、第１の接点群として互いが離れている複数の第１の接点部１３Ａ、１３Ｂと、第１の端子部９と前記第１の接点群を構成している前記第１の各接点部１３Ａ、１３Ｂとを互いに電気的に導通している第１の導通経路１７とが設けられている。
【００２７】
また、前記フィルム状基材３の前記フィルム状部材７側の面（内側の面）には、同様に、第２の端子部１１と、第２の接点群として互いが離れている複数の第２の接点部１３Ｃ、１３Ｄと、第２の端子部１１と前記第２の接点群を構成している前記第２の各接点部１３Ｃ、１３Ｄとを互い電気的に導通している第２の導通経路２１とが設けられている。
【００２８】
なお、前記第１の接点群の第１の各接点部１３Ａ、１３Ｂと、前記第２の接点群の第２の各接点部１３Ｃ、１３Ｄとは、前記各接点群における各接点同士の間隔距離（たとえば、第１群の第１の接点部１３Ａと第１群の第１の接点部１３Ｂとの間の距離）よりも大きく離れて配置されている。
【００２９】
すなわち、たとえば、前記第１の一方の接点部１３Ａと前記第１の他方の接点部１３Ｂとの間の距離よりも、前記第１の一方の接点部１３Ａと前記第２の一方の接点部１３Ｃとの間の距離のほうが長くなっている。
【００３０】
さらに、前記フィルム状基材３の前記フィルム状部材７側の面には、電気抵抗１９が設けられている。この電気抵抗１９の一端部は、前記第１の端子部９の近傍における前記第１の導通経路１７に接続されており、前記電気抵抗１９の他端部は、前記第２の端子部１１の近傍における前記第２の導通経路２１に接続されている。
【００３１】
なお、前記電気抵抗１９の一端部が、前記第１の端子部９に直接接続されていてもよく、前記電気抵抗１９の他端部が、前記第２の端子部１１に直接接続されていてもよい。
【００３２】
前記第1の端子部９と前記第２の端子部１１とは、他の電気機器（たとえば、自動車の制御装置）から延出しているコネクタに、たとえば、カシメやハトメ等の接続手段によって接続されるものである。
【００３３】
前記フィルム状部材７の前記フィルム状基材３側の面（内側の面）には、図２や図５で示すように、前記第１の接点群における第１の各接点部１３Ａ、１３Ｂのそれぞれと対向するように複数の第３の接点部１５Ａ、１５Ｂを備えた第３の接点群が設けられていると共に、前記第２の接点群における第２の各接点部１３Ｃ、１３Ｄのそれぞれと対向するように、複数の第４の接点部１５Ｃ、１５Ｄを備えた第４の接点群が設けられている。
【００３４】
また、前記フィルム状部材７の前記フィルム状基材３側の面には、図２や図５で示すように、前記第３の接点群における第３の各接点部１５Ａ、１５Ｂのうちの一部の接点部である接点部１５Ａと前記第４の接点群における前記第４の各接点部１５Ｃ、１５Ｄのうちの一部の接点部である接点部１５Ｃとを互いに導通している第３の導通経路２３が設けられていると共に、第３の接点群における第３の各接点部１５Ａ、１５Ｂのうちの他の一部の接点部である接点部１５Ｂと前記第４の接点群における第４の各接点部１５Ｃ、１５Ｄのうちの他の一部の接点部である接点部１５Ｄとを互いに導通している第４の導通経路２５が設けられている。
【００３５】
すなわち、前記第３の接点群における第３の各接点部１５Ａ、１５Ｂと対をなす第４の接点群の第４の各接点部１５Ｃ、１５Ｄは、それぞれ電気的に独立した各導通経路２３、２５を介して電気的に接続してある。
【００３６】
換言すれば、第３の接点群と第４の接点群とにおいて、互いに対をなす接点部のみが電気的に接続してある。
【００３７】
また、図１や図４に示すように、前記フィルム状基材３と前記フィルム状部材７との間に挟まれた前記スペーサ５の前記各接点部１３Ａ〜１３Ｄ、１５Ａ〜１５Ｄに対応する部位には、前記各接点部１３Ａ〜１３Ｄのそれぞれと、前記各接点部１５Ａ〜１５Ｄのそれぞれとを互いに接触させることができるように各貫通孔２７Ａ〜２７Ｄが設けられている。
【００３８】
そして、常態においては、スペーサ５を介して（スペーサ５に設けられた貫通孔２７Ａを介して）、接点部１３Ａと接点部１５Ａとが離反し、同様に、各接点部１３Ｂ〜１３Ｄそれぞれと、各接点部１５Ｂ〜１５Ｄのそれぞれとが離反していることにより、前記第１の端子部９と前記第２の端子部１１とは、電気抵抗１９のみを介して導通した状態にある。
【００３９】
そして、前記フィルム状基材３、前記フィルム状部材７の少なくとも一方が、人の着座により撓んで、前記第１接点群における第１の接点部１３Ａと前記第３の接点群における第３の接点部１５Ａとが互いに接触し、かつ、前記第２の接点群における第２の接点部１３Ｃと前記第４の接点群における第４の接点部１５Ｃとが互いに接触するとき、前記第１の端子部９と前記第２の端子部１１と第３の導通経路２３を介して導通される。この第３の導通経路２３は、前記電気抵抗１９と並列接続路をなすものである。
【００４０】
または、同様に、前記第１の接点群における第１の接点部１３Ｂと前記第３の接点群における第３の接点部１５Ｂとが互いに接触し、かつ、前記第２の接点群における第２の接点部１３Ｄと前記第４の接点群における第４の接点部１５Ｄとが互いに接触したときに、前記第１の端子部９と前記第２の端子部１１と、第４の導通経路２５を介してが互いに接続するように構成されている。
【００４１】
前記構成によって、接点部の接触により電気抵抗１９と並列な接続路が形成されると、抵抗値が変化するので、人の着座を判別することとができる。また並列な接続路は大きく離れた複数箇所の接点部が接触することによって形成されるので、着座したか否かの誤判断が生じ難くなる。
【００４２】
なお、前記フィルム状基材３、スペーサ５、フィルム状部材７は、たとえばＰＥＮ樹脂、ＰＥＴ樹脂等の絶縁体で構成されており、前記各接点部１３Ａ〜１３Ｄ、１５Ａ〜１５Ｄや前記各導通経路１７、２１、２３、２５は、たとえば、前記フィルム状基材３や前記フィルム状部材７の表面に印刷によって薄く固着して設けられた銀の上に、カーボンを薄く設けて形成されており、さらに、前記電気抵抗１９は、カーボン等の高電気抵抗材料で構成されていることにより電気抵抗値が高くなっていると共に、前記フィルム状基材３の表面に薄く形成されている。
【００４３】
ここで、前記各導通経路１７、２１の形状についてより詳しく説明する。
【００４４】
前記第１の導通経路１７は、図３に示すように、前記第１の端子部９から前記第１の導通経路１７の先端部に向かう途中で、前記第２の接続経路２１から離れる方向にほぼ直角に曲がっており、この曲がっている部位よりもさらに先端部側で、前記第１の導通経路１７が複数に枝分かれしていると共に、複数に枝分かれしている前記第１の導通経路１７の各先端部（先端部側でもよい）に、第１の接点群の第１の各接点部１３Ａ、１３Ｂが設けられている。
【００４５】
なお、図３では、前記第１の導通経路１７が２つに枝分かれしており、この２つに枝分かれした各導通経路が互いに逆の方向に延伸しており、第１の接点部が前記枝分かれしている導通経路１７の各先端部のそれぞれに２つ設けられているが、前記第１の導通経路１７が３つ以上の複数に枝分かれし、第１の接点部が３つ以上の複数個設けられていてもよい。
【００４６】
前記第２の導通経路２１は、前記第１の端子部９と並んで配置されている第２の端子部１１から前記第２の導通経路２１の先端部に向かう途中までは、前記第１の経路１７とほぼ平行に延伸しているが、先端部に向かう途中で、前記第１の経路と同様に前記第１の接続経路１７から離れる方向に曲がっており、この曲がっている部位よりもさらに先端部側で複数に枝分かれし、この枝分かれした先端部側に、第２の接点群の第２の各接点部１３Ｃ、１３Ｄが設けられている。
【００４７】
次に、前記フィルム状基材３の形状について説明する。
【００４８】
前記フィルム状基材３は、前記各接点部１３Ａ〜１３Ｄ、前記各端子部９、１１を接続するために長く設けられている前記各導通経路１７、２１の形状に応じた形状に延伸し枝分かれして形成されている。
【００４９】
すなわち、前記フィルム状基材３は、前記各端子部９、１１が設けられている基端部から前記各導通経路１７、２１が平行に延伸している部位まで所定の幅で延伸している帯状の基端部側部位３Ａを有している。なお、前記各端子部９、１１や前記各導通経路１７、２１は、前記基端部側部位３Ａの幅方向の中間部に配置されている。
【００５０】
前記基端部側部位３Ａの先端部側（各端子部９、１１が設けられている部位とは反対側）には、ほぼ直角に曲がって延伸している前記各導通経路１７の形態に応じて、前記基端部側部位３Ａに対してほぼ直角に曲がって所定の幅で延伸している帯状の中間部位３Ｂ、が設けられている。
【００５１】
同様に、前記基端部側部位３Ａの先端部側には、前記中間部位３Ｂと同形状の中間部位３Ｃが、前記中間部位３Ｂの延伸方向とは逆の方向に延伸して設けられており、前記基端部側部位３Ａと両中間部位３Ｂ、３Ｃは、全体として「Ｔ」字状に形成してある。
【００５２】
いる。なお、前記導通経路１７は、前記中間部位３Ｂの幅方向の中間部に配置されており、同様に、前記導通経路２１も、前記中間部位３Ｃの幅方向の中間部に配置されている。
【００５３】
さらに、前記中間部位３Ｂの先端部側（前記基端部側部位３Ａとは反対側）には、前記２つに枝分かれして延伸している導通経路１７の形態に応じて、所定の幅で帯状に延伸している先端部側部位３Ｄが設けられており、前記中間部位３Ｂと前記先端部側部位３Ｄは、全体として「Ｔ」字状に形成してある。なお、先端部側部位３Ｄは、この先端部側部位３Ｄの長手方向の中間部で、前記中間部位３Ｂの先端部に接続している。
【００５４】
前記中間部位３Ｃの先端部側には、同様に、所定の幅で帯状に延伸している先端部側部位３Ｅが設けられている。なお、前記導通経路１７や前記各接点部１３Ａ、１３Ｂは、前記先端部側部位３Ｄの幅方向の中間部に配置されており、同様に、前記導通経路２１や前記各接点部１３Ｃ、１３Ｄも、前記中間部位３Ｅの幅方向の中間部に配置されている。
【００５５】
また、スペーサ５や、フィルム状部材７の外形形状も、フィルム状基材３の外形に準じてほぼ同様に形成されている。ただし、各端子部９、１１を露出させるために、前記各端子部９、１１に対応する部位までは、前記スペーサ５と前記フィルム状部材７とは、延伸していない。
【００５６】
なお、前記フィルム状基材３の先端部側部位３Ｄの一端部側（接点部１３Ａが設けられている側）の部位に対応した前記フィルム状部材７の先端部側部位と、前記フィルム状基材３の中間部位３Ｂに対応した前記フィルム状部材７の中間部位と、前記フィルム状基材３の先端部側部位３Ｅの一端部側（接点１３Ｃが設けられている側）の部位に対応した前記フィルム状部材７の他の先端部側部位とを通って、前記第３の導通経路２３は、「コ」字状に延伸して設けられている。また、前記第４の導通経路２５も、同様に、「コ」字状に延伸して設けられている。
【００５７】
上述のごとき構成のスイッチ装置１によれば、電気抵抗１９の一端部が、前記第１の端子部９の近傍で前記第１の導通経路１７に接続されており、前記電気抵抗１９の他端部が、前記第２の端子部１１の近傍で前記第２の導通経路２１に接続されているので、前記第１の導通経路１７や断線にもかかわらず、前記第１の端子部９や前記第２の端子部１１が、前記の電気機器に接続されているか否かを容易に判断することができる。
【００５８】
すなわち、前記第1の端子部９と前記第２の端子部１１とを、他の電気機器から延出しているコネクタに接続し、前記第1の端子部９と前記第２の端子部１１との間に電圧を印加した場合、電気抵抗１９よりも先端部側（前記電気抵抗１９に対して前記端子部９、１１とは反対側）で導通経路１７、２１が断線しまたは前記導通経路２３、２５が断線していても、前記第１の端子部９や前記第２の端子部１１が、前記の電気機器に接続されていれば、電気抵抗１９を介して前記第1の端子部９と前記第２の端子部１１との間に電流が流れるので、各端子部９、１１が前記他の電気機器に接続されているか否かを容易に判断することができる。
【００５９】
したがって、たとえば、スイッチ装置１が使用されるシートが設置された車両の組み立て時において、各端子部９、１１の車両のコネクタへの接続忘れを防止することができる。
【００６０】
さらに、コネクタの近傍に電気抵抗を設けてあるので、電気的に各座席のコネクタのはずれをモニタすることができる。よって、事前に購入者が異常を把握することができ、システム異常のまま使用されるおそれを回避することができ、運転者が不快感を感じるおそれもなくなる。
【００６１】
加えて、電気抵抗をコネクタ近傍に設けてあるので、前記電気抵抗よりも先の回路がどのような複雑な形状（たとえば複雑に枝分かれした形状）になっても、複雑な経路形状に左右されることなく動作確認を行うことができる。
【００６２】
また、スイッチ装置１によれば、第１、第２の各接点部１３Ａ〜１３Ｄがフィルム状基材３に設けられ、第３、第４の各接点部１５Ａ〜１５Ｄがフィルム状部材７に設けられているので、前記第１、第２の各接点部１３Ａ〜１３Ｄと前記第３、第４の各接点部１５Ａ〜１５Ｄとの間の距離が、常態においては、気体が満たされた空間で遮断されている。したがって、第１、第２の接点部１３Ａ〜１３Ｄ、第３、第４の各接点部１５Ａ〜１５Ｄが設けられている前記空間内で部位へ水分が染み入ってもマイグレーションが発生しにくくなっている。
【００６３】
また、スイッチ装置１によれば、たとえば、第１の接点群における接点部１３Ａと第３の接点群における接点部１５Ａとが互いに接触して導通し、かつ、前記各接点部１３Ａ、１５Ａと対をなす第２の接点群における接点部１３Ｃと第４の接点群における接点部１５Ｃとが互いに接触して導通しなければ、スイッチ装置１がオンしない構成であるので、すなわち、第１、第３の接点群において互いに接続可能な各接点部１３Ａ、１５Ａと、これらの各接点部１３Ａ、１５Ａと対をなす第２、第４の接点群における各接点部１３Ｃ、１５Ｃの両方が接触することによって初めて接続路が構成されるので、スイッチ装置１の誤作動を防止することができる。
【００６４】
さらに、各導通経路１７、２１をこれらの延伸方向の中間部で、互いが離反するように延伸させることにより、各接点部１３Ａ、１５Ａと各接点部１３Ｃ、１５Ｃとを互いに離隔させて設けてあり、ａｎｄ回路が形成されているので、たとえば、荷物の鋭敏なエッジ等によって、１つの接点部対である接点部１３Ａと接点部１５Ａとが互いに接触しても、他の接点部対である接点部１３Ｃと接点部１５Ｃとは互いが離反したままであるので、スイッチ装置１はオンせず、誤作動を防止することができる。
【００６５】
［第２の実施形態］
図６は、本発明の第２の実施形態に係るスイッチ装置を構成するフィルム状部材２９の概略構成を示す図である。
【００６６】
第２の実施形態に係るスイッチ装置は、フィルム状部材２９に設けられている導通経路の形態が、前記第１の実施形態に係るスイッチ装置１とは異なり、その他の点は、前記第１の実施形態に係るスイッチ装置１とほぼ同様に構成されている。
【００６７】
すなわち、前記第３の導通経路２３、前記第４の導通経路に２５代えて、第５の導通経路３１を設け、この第５の導通経路３１が、総ての第３の接点部１５Ａ、１５Ｂと、総ての第４の接点部１５Ｃ、１５Ｄとを互いに導通させている。換言すれば、総ての接点部１５Ａ〜１５Ｄが、導通経路３１によって互いに電気的に接続されている。
【００６８】
そして、第１の接点群における接点部１３Ａと対をなす第３の接点群における接点部１５Ａとの接点部対または第１の接点群にける接点部１３Ｂと対をなす第２の接点群における接点部１５Ｂとの接点部対が互いに接触して導通し、かつ、第３の接点群における接点部１３Ｃと対をなす第４の接点群における接点部１５Ｃとの接点部対または第３の接点群における接点部１３Ｄと対をなす第４の接点群における接点部１５Ｄとの接点部対が互いに接触して導通することにより、第１の端子部９と第２の端子部１１とが、前記導通経路３１を介して互いに導通するようになっている。
【００６９】
すなわち、前記第１、第３の接点群において対をなす各接点部の少なくとも１つが接続し、かつ、前記第２、第４の接点群において対をなす各接点部の少なくとも１つが接続することによって、前記導通経路３１を介して、前記第１の端子部９と前記第２の端子部１１との接続が行われるものであり、上述した第１の実施形態に係る効果と同様の効果を奏しえる。
【００７０】
なお、前記各実施形態では、前記第３の接点部と前記第４の接点部とが導通経路を介して直接電気的に導通しているが、前記各実施形態における前記第３の接点部と前記第４の接点部との接続形態について適宜変更を加え、前記フィルム状基材および／または前記フィルム状部材に設けられた他の接点部や他の導通経路を介して、前記第３の接点部と前記第４の接点部とが互いに電気的に導通するようにしてもよい。
【００７１】
［第３の実施形態］
図７は、本発明の第３の実施形態に係るスイッチ装置４１の概略構成を示す図であり、図８は、前記スイッチ装置４１を構成するフィルム状基材４３の概略構成を示す図である。図９は、前記スイッチ装置４１を構成するフィルム状部材４５の概略構成を示す図である。
【００７２】
なお、前記スイッチ装置４１を構成するスペーサは、第１の実施形態に係るスイッチ装置１のスペーサ５と同様な形状に形成されている。
【００７３】
第３の実施形態に係るスイッチ装置４１は、各接点部と各導通経路との形態が、前記第１の実施形態に係るスイッチ装置１とは異なり、その他の点は、前記第１の実施形態に係るスイッチ装置１とほぼ同様に構成されている。
【００７４】
なお、本実施形態における第１の接点部〜前記第３の接点部、第１の導通経路、第２の導通経路は、前記各実施形態における各接点部、各導通経路とは、異なる形態で配置され設置されているものである。
【００７５】
スイッチ装置４１のフィルム状基材４３のフィルム状部材４５側の面（内側の面）には、第１の端子部９と、第１の接点群に属する複数の第１の接点部４７Ａ〜４７Ｄとが設けられている。
【００７６】
また、スイッチ装置４１のフィルム状基材４３のフィルム状部材４５側の面には、前記第１の端子部９と前記第１の接点群に属する各接点部４７Ａ〜４７Ｄとを電気的に接続している第１の導通経路４９が設けられている。
【００７７】
また、スイッチ装置４１のフィルム状基材４３のフィルム状部材４５側の面には、前記第１の端子部９に近接して設けた第２の端子部１１と、前記第１の接点群に属する第１の各接点部４７Ａ〜４７Ｄのそれぞれと近接して対をなした第２の接点群に属する複数の第２の接点部５１Ａ〜５１Ｄとが設けられている。
【００７８】
また、スイッチ装置４１のフィルム状基材４３のフィルム状部材４５側の面には、前記第２の端子部１１と前記第２の接点群に属する第２各接点部５１Ａ〜５１Ｄとを電気的に接続している第２の導通経路５３が設けられている。
【００７９】
さらに、スイッチ装置４１のフィルム状基材４３のフィルム状部材４５側の面であって、前記各端子部９、１１の近傍には電気抵抗１９が設けられている。なお、前記電気抵抗１９の一端部は、第１の実施形態と同様に、前記第１の端子部９の近傍で前記第１の導通経路４９に接続されており、前記電気抵抗１９の他端部は、前記第２の端子部１１の近傍で前記第１の導通経路４９に接続されている。
【００８０】
また、スイッチ装置４１の前記フィルム状部材４５の前記フィルム状基材４３側の面には、前記第１の各接点部４７Ａ〜４７Ｄおよび前記第２の各接点部５１Ａ〜５１Ｄと接触自在な第３の接点部５５Ａ〜５５Ｄが設けられており、前記スペーサ５には、前記第３の接点部５５Ａ〜５５Ｄと、前記第１の各接点部４７Ａ〜４７Ｄと前記第２の各接点部５１Ａ〜５１Ｄとを互いに接触させるための複数の貫通孔２７Ａ〜２７Ｄ（図４参照）が設けられている。
【００８１】
そして、常態においては、前記第１の端子部９と前記第２の端子部１１とは、前記電気抵抗１９を介して互いに導通してある。そして、前記第３の各接点部５５Ａ〜５５Ｄのうちの少なくとも１つの接点部が、前記第１の各接点部４７Ａ〜４７Ｄと前記２の各接点部５１Ａ〜５１Ｄとで形成される各接点対のうちの少なくとも１つの接点対に接触したときに、前記第１の端子部９と前記第２の端子部１１とが、前記第３の接点部を介して互いに導通される。
【００８２】
前記第３の接点部５５Ａ〜５５Ｄは、導通時には、前記電気抵抗１９と並列な接続路を形成するものである。
【００８３】
すなわち、前記第１、第２の接点群における前記第１、第２の各接点対が前記第３の接点部を介して接続されることにより、電気抵抗１９と並列な接続路が構成されるものであり、上述した実施形態と同様の効果を奏するものである。
【００８４】
［第４の実施形態］
図１０は、本発明の第４の実施形態に係るスイッチ装置５７の概略構成を示す図であり、図１１は、前記スイッチ装置５７を構成するフィルム状基材５９の概略構成を示す図である。
【００８５】
第４の実施形態に係るスイッチ装置５７は、各接点部と各導通経路との形態が、前記第３の実施形態に係るスイッチ装置４１とは異なり、その他の点は、前記第３の実施形態に係るスイッチ装置４１とほぼ同様に構成されている。
【００８６】
なお、第４の実施形態に係るスイッチ装置５７のフィルム状部材およびスペーサは、前記第３の実施形態を構成するフィルム状部材４５（図９参照）、前記第３の実施形態を構成するスペーサ５（図４参照）と同様に構成されている。
【００８７】
また、本実施形態における第１の接点部〜前記第６の接点部、第１の導通経路〜第４の導通経路は、前記各実施形態における各接点部、各導通経路とは異なる形態で配置され設置されているものである。
【００８８】
スイッチ装置５７のフィルム状基材５９の前記フィルム状部材４５側の面には、第１の接点群に属する第１の各接点部６１Ａ、６１Ｂと、第２の接点群に属し前記第１の各接点部６１Ａ、６１Ｂのそれぞれから僅かに離れて設けられた第２の各接点部６３Ａ、６３Ｂと、第３の接点群に属し前記第１の各接点部６１Ａ、６１Ｂから大きく離れて設けられた第３の各接点部６５Ａ、６５Ｂと、第４の接点群に属し前記第３の各接点部６５Ａ、６５Ｂのそれぞれからから僅かに離れて設けられた第４の各接点部６７Ａ、６７Ｂとが設けられている。
【００８９】
また、スイッチ装置５７のフィルム状基材５９の前記フィルム状部材４５側の面には、前記各実施形態と同様に、第１の端子部９と第２の端子部とが設けられている。
【００９０】
また、前記第１の各接点部６１Ａ、６１Ｂと前記第１の端子部９とは、前記フィルム状基材５９の前記フィルム状部材４５側の面に設けられた第１の導通経路６９によって互いに導通しており、前記第３の各接点部６５Ａ、６５Ｂと前記第２の端子部１１とは、前記フィルム状基材５９の前記フィルム状部材４５側の面に前記第１の導通経路６９から離れて設けられた第２の導通経路７１によって互いに導通している。
【００９１】
さらに、スイッチ装置５７のフィルム状基材５９の前記フィルム状部材４５側の面には、前記第１の導通経路６９および前記第２の導通経路７１から離れて設けられていると共に、前記第２の各接点部６３Ａ、６３Ｂと前記第４の各接点部６７Ａ、６７Ｂとを互いに導通している第３、第４の各導通経路７３、７５が設けられている。
【００９２】
つまり、第２の接点群に属する一部の接点部６３Ａと第４の接点群に属する一部の接点部６７Ａとが、一方の第３の導通経路７３によって互いに導通されており、第２の接点群に属する他の一部の接点部６３Ｂと第４の接点群に属する他の一部の接点部６７Ｂとが、前記一方の第３の導通経路７３から離れている他方の第４の導通経路７５によって互いに導通されている。
【００９３】
なお、前記一方の第３の導通経路７３と前記他方の第４の導通経路７５とを互いに導通接続することにより、第２の接点群に属する総ての接点部６３Ａ、６３Ｂと第４の接点群に属する総ての接点部６７Ａ、６７Ｂとが互いに導通されているように構成してもよい。
【００９４】
スイッチ装置５７の前記フィルム状部材４５の前記フィルム状基材５９側の面には、第５の接点群に属し前記第１の各接点部６１Ａ、６１Ｂおよび前記第２の各接点部６３Ａ、６３Ｂで構成された各接点対のそれぞれと対向するように設けられた第５の各接点部７７Ａ、７７Ｂと、第６の接点群に属し前記第３の各接点部６６Ａ、６５Ｂおよび前記第４の各接点部６７Ａ、６７Ｂで構成された各接点対のそれぞれと対向するように設けられた第６の各接点部７９Ａ、７９Ｂとが設けられている（図９参照）。
【００９５】
さらに、前記第３の実施形態に係るスイッチ装置４１と同様に、前記フィルム状基材５９には、電気抵抗１９が設けられている。
【００９６】
そして、常態においては、前記第１の端子部９と前記第２の端子部１１とは前記電気抵抗１９を介して導通した状態にあり、前記フィルム状基材５９、前記フィルム状部材４５の少なくとも一方が撓んで、前記第１の各接点部６１Ａ（６１Ｂ）と前記第２の接点部６３Ａ（６３Ｂ）とが前記第５の接点部７７Ａ（７７Ｂ）を介して互いに導通し、かつ、前記第３の接点部６５Ａ（６５Ｂ）と前記第４の接点部６７Ａ（６７Ｂ）とが前記第６の接点部７９Ａ（７９Ｂ）を介して互いに導通したときに、前記電気抵抗１９と並列な接続路が前記第１の端子部９と前記第２の端子部１１との間に構成されるようになっている。
【００９７】
スイッチ装置５７によれば、第１のスイッチ装置１と同様に各端子部９、１１が他の電気機器に接続されているか否かを容易に判断することができると共に、たとえば、第１の接点群における接点部６１Ａと第２の接点群における接点部６３Ａとが第５の接点群における接点部７７Ａと接触して互いに導通し、かつ、前記各接点部６１Ａ、６３Ａ、７７Ａから大きく離れて設けられている第３の接点群における接点部６５Ａと第４の接点群における接点部６７Ａとが第６の接点群における接点部７７Ａと接触して互いに導通しなければ、スイッチ装置５７１がオンしない構成であるので、第１の実施形態に係るスイッチ装置１と同様に、スイッチ装置５７の誤作動を防止することができる。
【図面の簡単な説明】
【００９８】
【図１】本発明の第１の実施形態に係るスイッチ装置の概略構成を示す図である。
【図２】図１におけるＩＩＡ―ＩＩＢ断面を示す図である。
【図３】スイッチ装置を構成するフィルム状基材の概略構成を示す図である。
【図４】スイッチ装置を構成するスペーサの概略構成を示す図である。
【図５】スイッチ装置を構成するフィルム状部材の概略構成を示す図である。
【図６】本発明の第２の実施形態に係るスイッチ装置を構成するフィルム状部材の概略構成を示す図である。
【図７】本発明の第３の実施形態に係るスイッチ装置の概略構成を示す図である。
【図８】スイッチ装置を構成するフィルム状基材の概略構成を示す図である。
【図９】スイッチ装置を構成するフィルム状部材の概略構成を示す図である。
【図１０】本発明の第４の実施形態に係るスイッチ装置の概略構成を示す図である。
【図１１】スイッチ装置を構成するフィルム状基材の概略構成を示す図である。
【図１２】従来のスイッチ装置の概略構成を示す図である。
【図１３】図１２のＸＩＩＩＡ−ＸＩＩＩＢ断面を示す図である。
【図１４】従来のスイッチ装置を構成するフィルム状基材の概略構成を示す図である。
【図１５】従来のスイッチ装置を構成するスペーサの概略構成を示す図である。
【図１６】従来のスイッチ装置を構成するフィルム状部材の概略構成を示す図である。
【符号の説明】
【００９９】
１、４１、５７  スイッチ装置
３、４３、５９  フィルム状基材
５  スペーサ
７、２９、４５  フィルム状部材
９、１１  端子部
１３Ａ〜１３Ｄ、１５Ａ〜１５Ｄ、４７Ａ〜４７Ｄ、５１Ａ〜５１Ｄ、５５Ａ〜５５Ｄ  接点部
１７、２１、２３、２５、３１、４９、５３  導通経路
１９  電気抵抗
【図１】
2006156033.tif 000003
【図２】
2006156033.tif 000004
【図３】
2006156033.tif 000005
【図４】
2006156033.tif 000006
【図５】
2006156033.tif 000007
【図６】
2006156033.tif 000008
【図７】
2006156033.tif 000009
【図８】
2006156033.tif 000010
【図９】
2006156033.tif 000011
【図１０】
2006156033.tif 000012
【図１１】
2006156033.tif 000013
【図１２】
2006156033.tif 000014
【図１３】
2006156033.tif 000015
【図１４】
2006156033.tif 000016
【図１５】
2006156033.tif 000017
【図１６】
2006156033.tif 000018